(57)【特許請求の範囲】
【請求項１】
画像処理装置であって、
第一の位置に置かれた原稿を第二の位置を通過するよう搬送する搬送手段と、
前記第二の位置で画像を読み取り、画像データを生成する読み取り手段と、
前記第一の位置に原稿が置かれているかを判定する第１の判定手段と、
前記搬送手段によって原稿の搬送を開始した後、前記読み取り手段によって前記第二の位置で読み取りを行って生成した画像データが、前記搬送手段によって搬送された原稿の画像がユーザの意図しない画像の画像データであることを示す特定の条件に該当するかを判定する第２の判定手段と、
前記第一の位置に原稿が置かれていると前記第１の判定手段で判定し、かつ前記読み取り手段によって前記第二の位置で読み取りを行って生成した画像データが前記特定の条件に該当すると前記第２の判定手段で判定した場合、前記読み取り手段による画像の読み取りを中断することを特徴とする画像処理装置。
【請求項２】
前記特定の条件とは、前記画像データの画素のうち第一の閾値より大きい濃度を有する画素の割合が第二の閾値より大きいことを特徴とする請求項１に記載の画像処理装置。
【請求項３】
画像の読み取りを中断したことを示すメッセージを表示する表示手段を更に有することを特徴とする請求項１または２に記載の画像処理装置。
【請求項４】
前記第一の位置に原稿が置かれていると前記第１の判定手段で判定し、前記搬送手段によって原稿の搬送を開始した後、前記読み取り手段によって前記第二の位置で読み取りを行って生成した画像データが前記特定の条件に該当しないと前記第２の判定手段で判定し、かつ前記第一の位置に次の原稿が置かれていると前記第１の判定手段で判定した場合、前記読み取り手段は、前記次の原稿の画像を読み取ることを特徴とする請求項１乃至３のいずれか１項に記載の画像処理装置。
【請求項５】
前記読み取り手段で生成した画像データに基づいて画像を印刷する印刷手段を有し、
前記制御手段は、前記第一の位置に原稿が置かれていると前記第１の判定手段で判定し、かつ前記搬送手段によって原稿の搬送を開始した後、前記読み取り手段によって前記第二の位置で読み取りを行って生成した画像データが前記特定の条件に該当すると前記第２の判定手段で判定した場合、前記印刷手段による画像の印刷を中断することを特徴とする請求項１乃至４のいずれか１項に記載の画像処理装置。
【請求項６】
前記制御手段は、前記第一の位置に原稿が置かれていると前記第１の判定手段で判定した場合、前記搬送手段によって原稿を搬送させて、前記読み取り手段によって前記第二の位置で読み取りを行うよう制御する
ことを特徴とする請求項１乃至５のいずれか１項に記載の画像処理装置。
【請求項７】
前記搬送手段は、第三の位置に原稿を固定するための圧板を更に有し、
前記圧板は、開閉可能であることを特徴とする請求項１乃至６のいずれか１項に記載の画像処理装置。
【請求項８】
前記圧板が開けられた場合に、前記搬送手段によって搬送された原稿は、前記第二の位置を通過しないことを特徴とする請求項７に記載の画像処理装置。
【請求項９】
前記制御手段は、原稿のページの読み取りが完了した後に、前記読み取り手段による画像の読み取りを中断することを特徴とする請求項１乃至８のいずれか１項に記載の画像処理装置。
【請求項１０】
前記制御手段は、原稿のページの読み取りが完了する前に、前記読み取り手段による画像の読み取りを中断することを特徴とする請求項１乃至８のいずれか１項に記載の画像処理装置。
【請求項１１】
画像処理装置の制御方法であって、
第一の位置に置かれた原稿を第二の位置を通過するよう搬送させる搬送ステップと、
前記第二の位置で画像を読み取り、画像データを生成する読み取りステップと、前記第一の位置に原稿が置かれているかを判定する第１の判定ステップと、
前記搬送ステップで原稿の搬送を開始した後、前記第１の読み取りステップで前記第二の位置で読み取りを行って生成した画像データが、前記搬送ステップで搬送された原稿の画像がユーザの意図しない画像の画像データであることを示す特定の条件に該当するかを判定する第２の判定ステップと、
前記第一の位置に原稿が置かれていると前記第１の判定ステップで判定し、かつ前記読み取りステップで読み取りを行って生成した画像データが前記特定の条件に該当すると前記第２の判定ステップで判定した場合、画像の読み取りを中断させる中断ステップとを有することを特徴とする画像処理装置の制御方法。
【請求項１２】
請求項１１に記載の制御方法を、画像処理装置のコンピュータに実行させるためのプログラム。
【発明の詳細な説明】
【技術分野】
【０００１】
本発明は、画像を読み取る画像処理装置、画像処理装置の制御方法及び画像処理装置のコンピュータに実行させるためのプログラムに関するものである。
【背景技術】
【０００２】
従来、二通りの方法で画像を読み取る画像処理装置があった（例えば、特許文献１）。この画像処理装置は、ＡＤＦと呼ばれる、原稿を搬送する搬送手段と、原稿がＡＤＦ上にあることを検知する原稿検知センサと有する。
原稿があることを原稿検知センサが検知しなかった場合、画像処理装置はＡＤＦを使わずに原稿の画像を読み取る。この場合、イメージセンサは原稿台の下を移動しながら、原稿台に置かれた原稿の画像を読み取る。
原稿があることを原稿検知センサが検知した場合、画像処理装置はＡＤＦを使って原稿の画像を読み取る。この場合、イメージセンサが所定の読み取り位置に移動し、その位置でＡＤＦによって搬送される原稿の画像を読み取る。
【先行技術文献】
【特許文献】
【０００３】
【特許文献１】特開２００３−８７４５３号
【発明の概要】
【発明が解決しようとする課題】
【０００４】
まず初めに、図１０を用いて、原稿を読み取る二通りの方法をより詳細に説明する。
第一の方法では、図１０（Ａ）に示すように、ユーザは原稿を置く。ユーザは圧板１００２を開けて、ガラス板１００３上に原稿を置き、圧板１００２を閉める。画像処理装置は原稿を固定した状態で原稿の画像を読み取る。画像処理装置は、ガラス板１００３の下を光学ユニットを移動させながら、原稿の画像を読み取って画像データを生成する。なお、圧板１００２が開いた状態でも、画像処理装置は原稿の画像を読み取ることが可能である。
第二の方法では、図１０（Ｂ）に示すように、ユーザは原稿を置く。ユーザは圧板１００２を閉めた状態で、トレイ１００６に原稿を置く。画像処理装置は、ＡＤＦ１００１及び搬送ローラ１００５によって搬送される原稿の画像を読み取る。画像処理装置は光学ユニットをスリット１００４の下に固定する。搬送ローラ１００５は、原稿が光学ユニットの上を通過するように原稿を搬送する。画像処理装置は、固定された光学ユニットの上を通過する原稿の画像を読み取って画像データを生成する。
原稿がトレイ１００６に置かれかつ圧板１００２が開かれた状態で、画像の読み取りが指示された場合、ＡＤＦ１００１及び搬送ローラ１００５は原稿を搬送するものの、原稿が光学ユニットの上を通過せず、ユーザの意図しない画像データが生成されてしまう。
例えば、ユーザが、原稿がトレイ１００６に置かれていることを知らずに、原稿を図１０（Ａ）のように置き、圧板１００２を開いた状態で、画像の読み取りを指示する。この場合、画像処理装置は上記の第二の方法で画像を読み取り、全面黒い画像データを生成する。反射光がないために、黒い画像データが生成される。複数枚の原稿がトレイ１００６に置かれている場合、全面黒い画像データが複数枚分、生成される。
そこで、本発明は、ユーザの意図しない画像の読み取りを中断できるようにする。
例えば、本発明は、原稿がトレイ１００６に置かれていて、かつ圧板１００２が開かれた状態で、圧板１００２が開いていることを検知するセンサを用いることなく画像の読み取りを中断できるようにする。
【課題を解決するための手段】
【０００５】
本発明に係る画像処理装置は、第一の位置に置かれた原稿を第二の位置を通過するよう搬送する搬送手段と、前記第二の位置で画像を読み取り、画像データを生成する読み取り手段と、前記第一の位置に原稿が置かれているかを判定する第１の判定手段と、前記搬送手段によって原稿の搬送を開始した後、前記読み取り手段によって前記第二の位置で画像を読み取りを行って生成した画像データが、前記搬送手段によって搬送された原稿の画像がユーザの意図しない画像の画像データであることを示す特定の条件に該当するかを判定する第２の判定手段と、前記第一の位置に原稿が置かれていると前記第１の判定手段で判定し、かつ前記読み取り手段によって前記第二の位置で読み取りを行って生成した画像データが前記特定の条件に該当すると前記第２の判定手段で判定した場合、前記読み取り手段による画像の読み取りを中断することを特徴とする。
【発明の効果】
【０００６】
本発明によれば、画像処理装置はユーザの意図しない画像の読み取りを防止する。
【図面の簡単な説明】
【０００７】
【図１】画像処理装置のハードウェア構成を示す図である。
【図２】画像処理装置の断面図である。
【図３】スキャナ部の外観を示す図である。
【図４】スキャナ部の外観を示す図である。
【図５】画像処理装置に内蔵される制御プログラムの構成を示す図である。
【図６】スキャン処理を示すフローチャートである。
【図７】判定処理を示すフローチャートである。
【図８】スキャン処理を示すフローチャートである。
【図９】スキャン処理を示すフローチャートである。
【図１０】原稿を読み取る二通りの方法を示す図である。
【発明を実施するための形態】
【０００８】
図面を参照して、本発明に係る実施形態を説明する。ただし、この実施形態はあくまでも例示であり、本発明の範囲がこれにのみに限定されるという趣旨ではない。
【０００９】
図１は本発明に係る画像処理装置のハードウェア構成を示す図である。画像処理装置１は、コントローラ部１０、表示部２０、操作部３０、スキャナ部１００、プリンタ部２００を有している。
【００１０】
コントローラ部１０は、ＣＰＵ１１、ＲＯＭ１２、ＲＡＭ１３、ＨＤＤ１４、デバイス制御Ｉ／Ｆ１５、表示Ｉ／Ｆ１６及び操作Ｉ／Ｆ１７を有している。
【００１１】
ＣＰＵ１１は、画像処理装置１に内蔵される制御プログラムの実行主体であり、画像処理装置１内の様々なデバイスを制御する。
ＲＯＭ（Ｒｅａｄ  Ｏｎｌｙ  Ｍｅｍｏｒｙ）１２は不揮発性メモリである。ＲＡＭ（Ｒａｎｄｏｍ  Ａｃｃｅｓｓ  Ｍｅｍｏｒｙ）１３は揮発性メモリである。ＨＤＤ（Ｈａｒｄ  Ｄｉｓｋ  Ｄｒｉｖｅ）１４は磁気ディスクである。制御プログラムはＲＯＭ１２またはＨＤＤ１４に記憶されていて、実行時にはＲＯＭ１２またはＨＤＤ１４からＲＡＭ１３に展開される。ＲＡＭ１３は、ＣＰＵ１１が制御プログラムを実行している際のワークメモリとして機能し、印刷ジョブや画像データなどを記憶する。また、ＨＤＤ１４も印刷ジョブや画像データなどを記憶する。ＲＯＭ１２、ＲＡＭ１３、ＨＤＤ１４は、データまたはプログラムを記憶する記憶手段として機能する。
【００１２】
図１においては、ＣＰＵ１１、ＲＯＭ１２、ＲＡＭ１３及びＨＤＤ１４はそれぞれ１つしか存在しない。しかしながら、ＣＰＵ１１、ＲＯＭ１２、ＲＡＭ１３及びＨＤＤ１４がそれぞれ複数存在していてもよい。
【００１３】
デバイス制御Ｉ／Ｆ１５は、コントローラ部１０に接続されるデバイス（例えば、スキャナ部１００及びプリンタ部２００）との間の入出力を制御し、制御指示をデバイスに送信したり、状態情報をデバイスから受信したりする。デバイス制御部Ｉ／Ｆ１５は、複数のデバイスと接続可能なバス構造を有している。あるいは、デバイス制御Ｉ／Ｆ１５が複数のＩ／Ｆに分割されて、複数のデバイスと複数のＩ／Ｆとがそれぞれ１対１に対応していてもよい。
【００１４】
表示Ｉ／Ｆ１６は表示部２０への出力を制御する。操作Ｉ／Ｆ１７は操作部３０からの入力を制御する。
【００１５】
表示部２０はＬＥＤ（Ｌｉｇｈｔ  Ｅｍｉｔｔｉｎｇ  Ｄｉｏｄｅ）や液晶ディスプレイを備え、オペレータの操作内容や画像処理装置１の内部状態などを表示する。操作部３０は、オペレータから操作や指示を受け付ける。操作部３０は複数の操作ボタンを備える。また、表示部２０と操作部３０がタッチパネルディスプレイで実現されていてもよい。
【００１６】
スキャナ部１００は、搬送ローラの駆動の制御、光学ユニットの制御などを行って、原稿の画像を読み取り、画像データを生成する。プリンタ部２００は、各部ローラの駆動の制御、転写の制御、定着の制御などを行って、画像データを記録媒体に印刷する。
【００１７】
図２は、本発明に係る画像処理装置１の断面図である。
【００１８】
まず、スキャナ部１００を説明する。スキャナ部１００が原稿給送トレイ１０１に置かれた原稿を読み取る場合、光学ユニット１０５はスリット１１４の下の位置に固定し、ランプ１０４は点灯する。この状態で、原稿給送トレイ１０１に置かれた原稿が１枚ずつ搬送される。すると、原稿が光学ユニット１０５に対して相対的に移動しながら、光学ユニット１０５は原稿を露光する。
【００１９】
図３に示すように、ユーザは原稿給送トレイ１０１に原稿をセットする。センサ１１５は原稿が原稿給送トレイ１０１に置かれていることを検知する。ピックアップローラ１１１が原稿を引き込むと、原稿は第一搬送ローラ１１２及び第二搬送ローラ１１３を介して光学ユニット１０５の上を通過し、排出トレイ１０３に排出される。つまり、ピックアップローラ１１１、第一搬送ローラ１１２及び第二搬送ローラ１１３は、原稿給送トレイ１０１に相当する位置に置かれている原稿を、光学ユニット１０５の上に相当する位置を通過させるように搬送する。
【００２０】
スキャナ部１００が原稿の両面を読み取る場合には、反転ローラ１１６が、光学ユニット１０５の上を通過した原稿をスイッチバックして、原稿の裏表を反する。その後、原稿は再度第二搬送ローラ１１３を介して光学ユニット１０５の上を通過する。その時、光学ユニット１０５は原稿の裏面を露光する。その後、反転ローラ１１６が再度原稿をスイッチバックして、原稿は排出トレイ１０３に排出される。
【００２１】
スキャナ部１００がプラテンガラス１０２上に置かれた原稿を読み取る場合、ランプ１０４が点灯し、光学ユニット１０５が移動しながら原稿を露光する。つまり、光学ユニット１０５は走査露光を実行する。スキャナ部１００は、プラテンガラス１０２上に置かれた原稿を固定するための圧板４００（図４）を備えている。図４に示すように、圧板４００は開閉可能であり、ユーザは圧板４００を開けてプラテンガラス１０２上に原稿をセットする。
【００２２】
原稿を露光した際の反射光は、ミラー１０６、ミラー１０７、ミラー１０８及びレンズ１０９によってＣＣＤ（Ｃｈａｒｇｅ  Ｃｏｕｐｌｅｄ  Ｄｅｖｉｃｅｓ）イメージセンサ１１０へ導かれる。このようにして、原稿の画像はＣＣＤイメージセンサ１１０によって読み取られる。ＣＣＤイメージセンサ１１０から出力される画像データは、所定の処理を施されたのちにコントローラユニットに転送される。コントローラユニットの詳細は図４で説明する。
【００２３】
次に、プリンタ部２００を説明する。レーザドライバ２２１はレーザ発光部２０１を駆動する。レーザドライバ２２１は、コントローラユニットから出力される画像データに応じたレーザ光を発光するようレーザ発光部２０１を制御する。レーザ光は感光ドラム２０２に照射され、レーザ光に応じた潜像が感光ドラム２０２に形成される。感光ドラム２０２に形成された潜像の部分には、現像器２０３によって現像剤が付着される。
【００２４】
プリンタ部２００はカセット２０４、カセット２０５、カセット２０６、カセット２０７及び手差し給紙段２０８を備えている。カセット２０４〜２０７はそれぞれ、引き出しのような形状をしている。手差し給紙段２０８は、機外に露出したトレイから用紙を給送する。ユーザは、カセットを引き出して、カセットに用紙を補給し、カセットを閉める。
【００２５】
レーザ光の照射の開始と同期したタイミングで、用紙がカセット２０４、カセット２０５、カセット２０６、カセット２０７または手差し給紙段２０８から給送され、搬送路２１０を介して転写部２０９へ搬送される。転写部２０９は、感光ドラム２０２に付着された現像剤を用紙に転写する。現像剤の載った用紙は搬送ベルト２１１によって定着部２１２に搬送される。定着部２１２は、熱と圧力により現像剤を用紙に定着させる。その後、用紙は搬送路２１３及び搬送路２１４を介して排紙ビン２２０に排出される。用紙を反転して排出する場合には、用紙は搬送路２１５を介して搬送路２１６に導かれ、搬送路２１６によって反転され、搬送路２１７及び搬送路２１４を介して排紙ビン２２０に排出される。
【００２６】
プリンタ部２００が用紙の両面に印刷をする場合、定着部２１２を通過した用紙は、搬送路２１５及びフラッパ２１８によって搬送路２１９に導かれ、搬送路２１９によって逆方向に搬送される。その後、用紙は、フラッパ２１８及び搬送路２１６によって搬送路２２２に導かれ、さらに搬送路２２２及び搬送路２１０によって転写部２０９へ搬送される。
【００２７】
図５は、画像処理装置１に内蔵される制御プログラムの構成を示す図である。制御プログラムはＲＯＭ１２、ＲＡＭ１３、ＨＤＤ１４のいずれかの記憶手段に記憶され、ＣＰＵ１１によって実行される。表示制御部５０１、オペレータ操作解釈部５０２、ジョブ制御部５０３、プリンタ制御部５０４、スキャナ制御部５０５はそれぞれ、ＣＰＵ１１が制御プログラムを実行することにより実現される。
【００２８】
表示制御部５０１は、ジョブ制御部５０３から、ジョブの状態や画像処理装置１の状態を示す状態情報を受信し、その情報を表示部２０に表示するためのコマンドを表示Ｉ／Ｆ１６に送信する。
【００２９】
オペレータ操作解釈部５０２は、操作Ｉ／Ｆ１７から操作コマンドを受信し、その操作コマンドを解釈し、ジョブの開始、ジョブの停止、ジョブの再開、ジョブの終了などの様々な指示をジョブ制御部５０３に送信する。
【００３０】
ジョブ制御部５０３は、オペレータ操作解釈部５０２からジョブ開始指示を受信すると、ジョブの内容に応じてプリンタ制御部５０４またはスキャナ制御部５０５に指示を出して、ジョブの実行を開始する。オペレータ操作解釈部５０２からジョブ停止指示、ジョブ再開指示またはジョブ終了指示を受信すると、プリンタ制御部５０４またはスキャナ制御部５０５に指示を出して、ジョブの実行を制御する。
【００３１】
また、ジョブ制御部５０３は、後述のフローチャートに従って、ジョブを中断したり、スキャナ制御部５０５を介して原稿の読み取りを中断したり、プリンタ制御部５０４を介して印刷を中断したりする。
【００３２】
さらに、ジョブ制御部５０３は、表示制御部５０１を介して、ジョブの状態、画像処理装置１の状態、警告を表示部２０に表示させる。
【００３３】
プリンタ制御部５０４は、画像データを記録媒体に印刷するようプリンタ部２００をデバイス制御Ｉ／Ｆ１５を介して制御する。スキャナ制御部５０５は、原稿を画像データとして読み込むようスキャナ部１００をデバイス制御Ｉ／Ｆ１５を介して制御する。
【００３４】
図６は、本発明に係る画像処理制御方法を示すフローチャートである。このスキャン処理は、ＣＰＵ１１が制御プログラムを実行することにより、実行される。
【００３５】
オペレータ操作解釈部５０２が操作部３０を介してユーザからジョブの開始の指示を受信すると、ジョブ制御部５０３はスキャン処理を開始する。
【００３６】
まず、スキャナ制御部５０５がセンサ１１５を用いて、原稿が原稿給送トレイ１０１に置かれているかを判定する（Ｓ６０１）。原稿が置かれていない場合、スキャナ制御部５０５は、プラテンガラス１０２上にセットされている原稿の画像を読み取るようスキャナ部１００を制御する（Ｓ６０２）。
【００３７】
原稿が原稿給送トレイ１０１に置かれている場合、スキャナ制御部５０５は、原稿給送トレイ１０１にセットされている原稿を給送して画像を読み取るようスキャナ部１００を制御する（Ｓ６０３）。
【００３８】
つぎに、ジョブ制御部５０３は、スキャナ制御部５０５を介して、Ｓ６０３で読み取られた画像の画像データを受け取り、その画像がユーザの意図しない画像であるかを判定する（Ｓ６０４）。ジョブ制御部５０３は、画像が特定の条件に該当するかどうかを判定して、その画像がユーザの意図しない画像であるかを判定する。その判定方法は図７で説明する。
【００３９】
画像がユーザの意図する画像であると判定した場合には、スキャナ制御部５０５がセンサ１１５を用いて、ほかの原稿が原稿給送トレイ１０１に置かれているかを判定する（Ｓ６０５）。ほかの原稿が置かれていない場合には、原稿の画像の読み取りを終了する。ほかの原稿が置かれている場合には、Ｓ６０３に移行し、原稿の画像の読み取りを継続する。
【００４０】
画像がユーザの意図しない画像であると判定した場合には、ジョブ制御部５０３はスキャナ制御部５０５に中断の指示を送信する（Ｓ６０６）。スキャナ制御部５０５は、中断の指示に従って、原稿の画像を読み取ることをスキャナ部１００に中断させる。
【００４１】
また、ジョブ制御部５０３は、表示制御部５０１に警告表示の指示を出す（Ｓ６０７）。表示制御部５０１は、警告表示の指示に従って、原稿給送トレイ１０１上に置かれた原稿の画像の読み取りを中断した旨のメッセージを表示するよう表示部２０を制御する。または、表示制御部５０１は、原稿給送トレイ１０１上に原稿が置き忘れされている旨のメッセージを表示するよう表示部２０を制御する。
【００４２】
Ｓ６０６で画像の読み取りを中断した後、ジョブ制御部５０３は、読み取られた画像の画像データをそのままＨＤＤ１４に格納してもよい。また、ジョブ制御部５０３は、読み取られた画像の画像データを削除してもよい。この場合には、ＨＤＤ１４の記憶容量を節約することができる。
【００４３】
ジョブ制御部５０３は、一ページ分の画像データに基づいてＳ６０４の判定を行っても、一ページに満たない所定量の画像データに基づいてＳ６０４の判定を行ってもよい。一ページ分の画像データを受け取った後にＳ６０４の判定を行う場合には、それ以降の画像の読み取りを行わないようにすることができる。一方、一ページに満たない所定量の画像データを受け取った後にＳ６０４の判定を行う場合、そのページの途中で画像の読み取りを中断することができる。
【００４４】
画像処理装置１は、画像がユーザの意図する画像であると判定した場合に画像の読み取りを中断することにより、それ以降、ユーザの意図しない画像が読み取られることを防止できる。
【００４５】
なお、画像の読み取りを中断するとは、画像の読み取りを途中で終了すること、または、画像の読み取りを一旦停止することを含む。
【００４６】
図７は、Ｓ６０４の判定処理を示すフローチャートである。この判定処理もまた、ＣＰＵ１１が制御プログラムを実行することにより、実行される。
【００４７】
まず、ジョブ制御部５０３は、スキャナ制御部５０５を介して受け取った画像データを解析し、画像データ中の全画素における閾値Ａ以上の濃度を持つ画素の割合を計算する（Ｓ７０１）。この閾値ＡはＲＯＭ１２、ＲＡＭ１３、ＨＤＤ１４のいずれかに予め記憶されている。つぎに、ジョブ制御部５０３は、Ｓ７０１で計算した割合が閾値Ｂ以上であるかを判定する（Ｓ７０２）。この閾値ＢもＲＯＭ１２、ＲＡＭ１３、ＨＤＤ１４のいずれかに予め記憶されている。
【００４８】
割合が閾値Ｂ以上である場合、ジョブ制御部５０３は、読み取った画像がユーザの意図しない画像であると判定する（Ｓ７０３）。つまり、ジョブ制御部５０３は、圧板４００が開いた状態で画像の読み取りを実行したと判定する。圧板４００が開いた状態で画像の読み取りを実行した場合、読み取った画像が全面黒い画像となり、画像データにおいて所定の濃度値以上の画素が所定数以上存在する。
【００４９】
割合が閾値Ｂ未満である場合、読み取った画像がユーザの意図する画像であると判定する（Ｓ７０４）。つまり、ジョブ制御部５０３は、圧板４００が閉じた状態で画像の読み取りを実行したと判定する。
【００５０】
図７の判定処理を用いれば、画像処理装置は圧板４００の開閉を検知するセンサを有していなくても、圧板４００が開いているかを判定することができる。
【００５１】
図８は、図６の変形例（第二の実施形態）を示すフローチャートである。図８にて図６と同じ符号の付いているステップは、図６のステップと同じである。
【００５２】
図８にて、ジョブ制御部５０３は、原稿の画像の読み取りを中断した後、実行中のジョブがコピージョブであるかを判定する（Ｓ８０１）。実行中のジョブがコピージョブである場合には、ジョブ制御部５０３は、プリンタ制御部５０４に中断の指示を送信する（Ｓ８０２）。プリンタ制御部５０４は、中断の指示に従って、画像データを印刷することをプリンタ部２００に中断させる。これにより、無用な印刷が行われることを防止し、全面黒い画像が印刷されるのを防止する。
【００５３】
また、ジョブ制御部５０３は、表示制御部５０１に警告表示の指示を出す（Ｓ８０３）。表示制御部５０１は、警告表示の指示に従って、原稿給送トレイ１０１上に置かれた原稿のコピーを中断した旨のメッセージを表示するよう表示部２０を制御する。
【００５４】
実行中のジョブがコピージョブではなく、スキャンジョブである場合は、そもそも画像の印刷が行われていないので、警告表示だけを行う。ジョブ制御部５０３は、表示制御部５０１に警告表示の指示を出し、表示制御部５０１は、原稿給送トレイ１０１上に置かれた原稿の画像の読み取りを中断した旨のメッセージを表示する（Ｓ６０７）。
【００５５】
以上により、原稿が原稿給送トレイ１０１に置かれていて、かつ圧板４００が開かれた状態で、画像の読み取りを開始してしまった場合に、画像の読み取りを中断できる。特に、圧板４００が開いていることを検知する機構がない場合でも、ユーザの意図しない画像の読み取りを中断できる。
【００５６】
図６の画像処理制御方法では、原稿を給送した後、画像の読み取りを行い、読み取った画像が特定の条件に該当するかどうかを判定した。しかしながら、原稿を給送する前に、画像の読み取りを行い、読み取った画像が特定の条件に該当するかどうかを判定してもよい。
【００５７】
図９は、第三の実施形態に係る画像処理制御方法を示すフローチャートである。このスキャン処理は、ＣＰＵ１１が制御プログラムを実行することにより、実行される。
【００５８】
オペレータ操作解釈部５０２が操作部３０を介してユーザからジョブの開始の指示を受信すると、ジョブ制御部５０３はスキャン処理を開始する。
【００５９】
まず、スキャナ制御部５０５がセンサ１１５を用いて、原稿が原稿給送トレイ１０１に置かれているかを判定する（Ｓ９０１）。原稿が置かれていない場合、スキャナ制御部５０５は、プラテンガラス１０２上にセットされている原稿の画像を読み取るようスキャナ部１００を制御する（Ｓ９０２）。
【００６０】
原稿が原稿給送トレイ１０１に置かれている場合、スキャナ制御部５０５は、原稿給送トレイ１０１にセットされている原稿を給送せずに画像を読み取るようスキャナ部１００を制御する（Ｓ９０３）。
【００６１】
つぎに、ジョブ制御部５０３は、スキャナ制御部５０５を介して、Ｓ９０３で読み取られた画像の画像データを受け取り、その画像が特定の条件に該当するかを判定する（Ｓ９０４）。その判定方法は図７で説明したとおりである。原稿を給送しなくても、圧板４００が閉じられていれば、読み取った画像が全面黒い画像にはならない。第二搬送ローラ１１３などによる反射光がＣＣＤイメージセンサ１１０によって読み取られるからである。一方、圧板４００が開いていれば、読み取った画像が全面黒い画像になる。
【００６２】
画像が特定の条件に該当しない場合には、スキャナ制御部５０５は、原稿給送トレイ１０１にセットされている原稿を給送して画像を読み取るようスキャナ部１００を制御する（Ｓ９０５）。つぎに、スキャナ制御部５０５はセンサ１１５を用いて、ほかの原稿が原稿給送トレイ１０１に置かれているかを判定する（Ｓ９０６）。ほかの原稿が置かれていない場合には、原稿の画像の読み取りを終了する。ほかの原稿が置かれている場合には、Ｓ９０５に移行し、原稿の画像の読み取りを継続する。
【００６３】
画像が特定の条件に該当する場合には、ジョブ制御部５０３はスキャナ制御部５０５に中断の指示を送信する（Ｓ９０７）。スキャナ制御部５０５は、中断の指示に従って、原稿の画像を読み取ることをスキャナ部１００に中断させる。このときの中断は、原稿の給送を一度も始めないことを意味ずる。
【００６４】
また、ジョブ制御部５０３は、表示制御部５０１に警告表示の指示を出す（Ｓ９０８）。表示制御部５０１は、警告表示の指示に従って、原稿給送トレイ１０１上に置かれた原稿の読み取りを中断した旨のメッセージを表示するよう表示部２０を制御する。または、表示制御部５０１は、原稿給送トレイ１０１に原稿が置き忘れされている旨のメッセージを表示するよう表示部２０を制御する。
【００６５】
第三の実施形態では、圧板４００が閉じられている場合でもＳ９０３を実行するものの、圧板４００が開いている場合には、原稿を給送させることなく画像の読み取りを中断することができる。
【００６６】
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６７】
１  画像処理装置
１０  コントローラ部
１１  ＣＰＵ
１２  ＲＯＭ
１３  ＲＡＭ
１４  ＨＤＤ
１５  デバイス制御Ｉ／Ｆ
１６  表示Ｉ／Ｆ
１７  操作Ｉ／Ｆ
２０  表示部
３０  操作部
１００  スキャナ部
２００  プリンタ部
５０１  表示制御部
５０２  オペレータ操作解釈部
５０３  ジョブ制御部
５０４  プリンタ制御部
５０５  スキャナ制御部
【図１】
0005868031.tif 000002
【図２】
0005868031.tif 000003
【図３】
0005868031.tif 000004
【図４】
0005868031.tif 000005
【図５】
0005868031.tif 000006
【図６】
0005868031.tif 000007
【図７】
0005868031.tif 000008
【図８】
0005868031.tif 000009
【図９】
0005868031.tif 000010
【図１０】
0005868031.tif 000011